(57)【要約】      （修正有）【課題】経皮を電流刺激することにより即時的に筋出力の向上または低下をさせ、身体の運動機能障害を回復させることができる電流刺激装置を提供する。【解決手段】患部に対し電流刺激を与える電流を発生させる電流発生部と、電流発生部に電流を発生させる制御部と、電流発生部で発生させた電流を出力する出力部と、出力部で出力された電流を患部の皮膚表面へ印加する導子１４とを備える。制御部は、筋の出力を向上又は抑制させるために、設定電流まで電流を徐々に上昇させるランプアップタイムと設定電流から徐々に電流を弱めるランプダウンタイムを制御する。出力部は制御部で制御されたランプアップタイムとランプダウンタイムを１秒より大きくすることで筋出力を向上させる第１の出力モードと、ランプアップタイムとランプダウンタイムを１秒より小さくすることで筋出力を低下させる第２の出力モードの少なくとも一方のモードを出力する。【選択図】図１
0003198424.tif 000002
【実用新案登録請求の範囲】
【請求項１】
患部に対し電流刺激を与える電流を発生させる電流発生部と、
前記電流発生部で発生させた電流を制御する制御部と、
前記制御部で制御した電流を出力する出力部と、
前記出力部で出力された電流を患部の皮膚表面へ印加する導子とを備え、
前記制御部は、筋の出力を向上又は抑制させるために、設定電流まで電流を徐々に上昇させるランプアップタイムと前記設定電流から徐々に電流を下降させるランプダウンタイムとを制御し、
前記出力部は前記制御部で制御された前記ランプアップタイムと前記ランプダウンタイムを１秒より大きくすることで筋出力を向上させる第１の出力モードと、前記ランプアップタイムと前記ランプダウンタイムを１秒より小さくすることで筋出力を低下させる第２の出力モードの少なくとも一方のモードを出力することを特徴とする電流刺激装置。
【請求項２】
前記第１の出力モードのランプアップタイムとランプダウンタイムは１.１秒以上４秒以下であり、前記第２の出力モードのランプアップタイムとランプダウンタイムは０.１秒以上０.９秒以下であることを特徴とする請求項１に記載の電流刺激装置。
【請求項３】
前記出力部は複数であって、各々の出力部は、筋出力を向上させる前記第１の出力モードと筋出力を低下させる前記第２の出力モードとをユーザが選択できる選択部を備え、前記第１の出力モードと前記第２の出力モードとを同時に出力させることを特徴とする請求項１又は請求項２に記載の電流刺激装置。
【請求項４】
前記制御部は低周波パルスを制御することを特徴とした請求項１乃至３に記載の電流刺激装置。
【請求項５】
前記制御部は中周波パルスを制御することを特徴とした請求項１乃至３に記載の電流刺激装置。
【考案の詳細な説明】
【技術分野】
【０００１】
本考案は、電流刺激装置に関し、より詳しく述べると経皮を電流刺激することにより筋出力の向上または低下をさせ、身体の運動機能障害を回復させる電流刺激装置に関する。  
【背景技術】
【０００２】
電流刺激により身体機能を回復させる装置として、筋収縮をさせることで筋出力を向上させるＥＭＳが知られている。
【０００３】
ＥＭＳとは、Ｅｌｅｃｔｒｉｃａｌ Ｍｕｓｃｌｅ Ｓｉｍｕｌａｔｉｏｎのことであり、外部から電気的に運動神経を刺激することで、その神経に繋がる筋肉を断続的に収縮させて、効率的な筋力トレーニングを行わせる装置である。
筋組織に対し強度の負荷をかけ、筋繊維を破壊した後に修復することで筋肉を肥大化し、筋出力を向上させることで身体の運動機能障害を回復させる装置である。
それゆえ、ＥＭＳは筋収縮を引き起こすような強い電流刺激を与える。しかしながら、筋肉に突然強度の電流刺激を与えると刺激が強すぎるので、設定電流へ徐々に電流を上げていく「電流のかけ方」に様々な工夫がされている。（例えば引用文献１）
【先行技術文献】
【特許文献】
【０００４】
【特許文献１】特開２００９−２２５８１０号公報
【考案の概要】
【考案が解決しようとする課題】
【０００５】
ＥＭＳは強い電流刺激により筋肉を断続的に収縮させて、効率的な筋力トレーニングを行わせ、筋肉を肥大化させるものである。その結果として筋出力が向上するものであり、筋が肥大化するまでは筋出力を向上させることはできない。
つまり、即時的に筋出力を向上させることはできないという課題があった。
【０００６】
一方、運動機能障害には様々な状態の障害があり、筋が過度に収縮することにより運動機能障害を引き起こしている障害もある。
【０００７】
この様な運動機能障害には過度な筋収縮を脱力させて弛緩させる必要があるが、従来の電流刺激装置では、この様な運動機能障害を回復させることは出来なかった。
【０００８】
この様な過度の筋収縮を緩和させる手段として、例えば脳性麻痺患者に対するボトックス注射がある。この治療は、ボツリヌス菌を筋に収縮している筋に注射し、筋収縮を弛緩させるものである。しかしながら、効果に永続性はなく、定期的に注射を繰り返す必要がある。また、定期的に投与すると、菌に対して免疫がついてしまい、効果が弱くなってしまうという課題や、呼吸障害や嚥下障害が起きるリスクがあるという課題があった。また、医療機関にて治療を受けるしかないという課題がある。
【課題を解決するための手段】
【０００９】
上記した課題を解決するために本考案にかかる電流刺激装置は、患部に対し電流刺激を与える電流を発生させる電流発生部と、前記電流発生部に電流を発生させる制御部と、前記電流発生部で発生させた電流を出力する出力部と、前記出力部で出力された電流を患部の皮膚表面へ印加する導子とを備え、前記制御部は、筋の出力を向上又は抑制させるために、設定電流まで電流を徐々に上昇させるランプアップタイムと設定電流から徐々に電流を弱めるランプダウンタイムを制御し、前記出力部は前記制御部で制御された前記ランプアップタイムと前記ランプダウンタイムを１秒より大きくすることで筋出力を向上させる第１の出力モードと、前記ランプアップタイムと前記ランプダウンタイムを１秒より小さくすることで筋出力を低下させる第２の出力モードの少なくとも一方のモードを出力することを特徴とする。
【００１０】
このように第１の出力モードと第２の出力モードの少なくとも一方を用いて患部に施術することにより、即時的に筋出力を向上又は低下させることができるので運動機能障害を即時的に緩和することができる。また、医療機関に罹ることなく簡易に過度な筋収縮を脱力させて弛緩させることができる。
【００１１】
また、本考案の電流刺激装置の出力部は複数設けられており、各々の出力部は、筋出力を向上させる前記第１の出力モードと筋出力を低下させる前記第２の出力モードとをユーザが任意に選択することができ、かつ、前記第１の出力モードと第２の出力モードとを同時に出力させることを特徴とする。
【００１２】
このように異なる出力モードを同時に出力することができるという構成により、例えば、拮抗筋に関する障害を起している患者に対し、収縮しすぎている筋に対しては筋出力を低下させる第２の出力モードを選択して電気刺激を与えることで筋出力を低下させ、筋出力が足りない筋については、筋出力を向上させる第１の出力モードを選択し、筋出力を向上させることで、運動機能障害の要因となっている複数の要因に対して同時に電流刺激を与えることができる。このような構成とすることにより、運動機能障害を効果的に回復させることができる。
【考案の効果】
【００１３】
本考案は、機能回復させたい筋の経皮上から電流刺激を与えることにより、即時的に筋出力の向上又は低下をさせることができる。
特に、筋の収縮が強すぎることで生じている運動機能障害に対し、その筋出力を低下させることで運動機能障害を回復することができる。
【図面の簡単な説明】
【００１４】
【図１】本考案にかかる電流刺激装置１００の正面図である。
【図２】本考案にかかる電流刺激装置のブロック図である。
【図３ａ】本考案に係る第１の出力モードを示す波形である。
【図３ｂ】本考案に係る第２の出力モードを示す波形である。
【図４】本考案にかかる電流刺激装置４００の正面図である。
【００１５】
通常、筋が収縮するためには、脳から神経を通じて動かしたい筋に命令（電気信号）を出し、その命令を受けて筋は収縮する。
その際、筋の発揮できる力（筋力）は基本的には筋肉の断面積に比例する。しかし、実際に出力する筋力は、単純に筋肉の断面積だけでは決まらず、その筋肉の総量の内、何パーセントを使いこなしているか否かが筋力発揮の大きな要因となる。
つまり、脳が神経を通じて、筋に命令を伝えるときの命令量が多いほど、筋はたくさんの筋線維を収縮させる事ができ、大きな力（筋力）を発揮できる。
【００１６】
そして、一般的には、最大筋力を発揮しているつもり（最大努力）であっても、実際は筋に最大の命令が伝わっているわけではなく、全体の何割かの筋に命令がいっているだけの事が多い。
その割合には個人差があり、同じ量の筋肉を持っていても筋力差が生じる原因となっている。また、通常は、最大の命令でも筋の約６０％〜７０％の筋にしか命令が届いていないと考えられている。何故なら、筋の持つ筋力を１００％発揮すると、腱や骨、関節、さらには筋自身に負担がかかりすぎるため、一種の防衛措置として１００％の命令がされない様に制御されている。 
【００１７】
本考案は、この筋に伝わる約６０％〜７０％の命令量を増やす事で筋出力を向上させ、命令量を減らす事で筋出力を低下させると考えられる。
【００１８】
本考案について、この筋に伝わる約６０％〜７０％の命令量を増やす事を促通と定義し、命令量を減らす事を抑制と定義する。
つまり、「促通」を選択すると筋出力が向上し、「抑制」を選択すると、筋出力を低下させる。
【００１９】
本考案は、筋出力を向上させる第１の出力モードと、筋出力を低下させる第２の出力モードとのいずれか一方、又は両方のモードを出力することができ、身体に運動機能障害を抱えている患者の機能回復を図ることができる。
例えば、関節等に障害を抱え、痛みを抱えている患者等は、本来使うべき筋肉がうまく使えていない運動機能障害をもっている。また、このうまく使えてない筋肉を補うために、その周囲の特定の筋肉を使用している。  
これらのうまく使えていない筋肉は筋力が弱っているため、筋出力を向上させて筋の機能を回復し、逆に、周囲の特定の筋肉は筋出力が強すぎるため、筋出力を低下させることで運動機能障害から回復させる。
このような筋収縮の異常による運動機能障害から回復させることを目的とする装置について提供する。
【００２０】
ここで、本考案の特徴について述べる。
本考案の特徴は、即時的に筋出力の向上と低下ができることである。
この効果を得るには、ランプアップタイムとランプダウンタイムにかける時間が重要となる。
【００２１】
ランプアップタイムとは、ライズタイムコントロールとも呼ばれるもので、開始後すぐに設定した電流をかけるのではなく、徐々に設定された電流まで上昇させる時間をいい、ランプダウンタイムはその逆で、徐々に電流を低下させる時間をいう。一般的には筋に対する刺激を緩和するために設けられている。
本考案者は、筋出力を向上させるには、ランプアップタイムとランプダウンタイムを１秒より大きくすることであり、筋出力を低下させるには、ランプアップタイムとランプダウンタイムを１秒より小さくすることが条件であることを見出した。
【００２２】
このランプアップタイムとライプダウンタイムは図２に示すように、ＣＰＵ１９にて制御され、出力回路２０を経て導子１４から出力される。
【００２３】
第１の出力モードは、図３ａに示すように、ランプアップタイムとランプダウンタイムを１秒より大きくした出力モードであり、筋出力を向上させるモードである。（以下、促通モードといいう。）つまり、低下した筋出力の回復を図るモードである。
【００２４】
例えば、介護現場での寝たきり患者や、心疾患、呼吸器疾患、糖尿病患者などの廃用性筋委縮により低下した筋出力を回復させたり、整形疾患の術後の廃用性筋委縮予防等、リハビリテーションに用いる事ができる。
【００２５】
整形外科や接骨院においても、肩関節や膝関節の疼痛で筋力低下や筋バランスを主な原因とする疾患の治療・可動域制限改善に有用である。
【００２６】
第２の出力モードは、図３ｂに示すように、ランプアップタイムとランプダウンタイムを１秒より小さくした出力モードであり、筋出力を低下させるモードである。つまり、必要以上に筋収縮を起こしている状態の筋肉の収縮を弛緩し、抑制するモードである。（以下、抑制モードという。）
例えば、腰痛や肩こりなどの患部に過度の筋緊張のある患者に対して有効である。
【００２７】
[実施例１]
以下、本考案について、図面を参照しながら述べる。
本実施例は、低周波治療装置（1Ｈｚから1,200Ｈｚ）を用いて運動機能障害を回復させることを目的とした電流刺激装置１００について述べる。
運動機能が低下している患者の患部上に、経皮的に刺激を与えることで、その神経に付随する筋肉の筋出力を向上又は低下させ、低下した身体機能の障害を回復させる電流刺激装置１００であり、図１に示すように、本体１０と、その電流を印加する導子１４から構成される。
【００２８】
電流刺激装置１００の正面には、各種ＳＷ（操作スイッチ）が設けられている。１１は電源ＳＷである。１２はスタート/ストップＳＷである。また、装置１００の下面には導子１４を接続する出力口が設けられている。
【００２９】
出力モードとしては、筋出力を向上させる第１の出力モードと、筋出力を低下させる第２の出力モードがある。この出力モードは装置ごとに固定したモードとしてもよいし、いずれかのモードをユーザが選択するものとしてもよい。使用する患者の運動機能障害の状態に合わせてモードを選択する。
【００３０】
図２は電流刺激装置１００の主要な構成を示すブロック図である。
図２において、電源部１５から出力される電源電圧Ｖｃｃは、制御電圧回路１７で必要な電圧に制御され、ＣＰＵ１９、メモリ２１、昇圧回路１６、その他必要な回路に供給される。また、ＣＰＵ１９で制御される出力回路２０へも供給される。
【００３１】
まず、電流発生部について述べる。
電流発生部は、出力回路２０と、昇圧回路１６から供給された電圧Ｖｃｃと、ＣＰＵ１９から構成される。
出力回路２０は、昇圧回路１６から供給された電圧Ｖｃｃと、ＣＰＵ１９からの信号を受けて、電流を生成する。
本考案は、筋収縮を起こさせるような電流を用いる。
【００３２】
次に制御部について述べる。
制御部は、ＣＰＵ１９と、制御電圧回路１７、電源電圧監視回路１８、メモリ２１から構成される。ＣＰＵ１９はＥＥＰＲＯＭからなるメモリ２１や、上述した各ＳＷ、更にクロックを発生する源発振機が接続され、周波数の制御をしている。また、ＣＰＵ１９は、電源電圧監視回路１８により電源電圧Ｖｃｃを監視している。また、ＣＰＵ１９は、ランプアップタイムやホールドタイム、ランプダウンタイムやオフタイムについての時間制御もおこなっている。
尚、制御プログラム用ＲＯＭや作業用ＲＡＭ等のメモリ２１はＣＰＵ１９とワンチップに構成されている。
制御電圧回路１７は、電源部１５から供給された電源をＣＰＵ１９等の制御に必要な電圧に変換し、供給する。
【００３３】
次に出力部について述べる。
出力部は、出力回路２０と極性切替回路２２とで構成される。
出力回路２０で生成された電流と電圧は、極性切替回路２２で極性が切替られてパルス信号となり、出力端子から導子１４へ出力される。
【００３４】
操作部は、ＳＷ（スイッチ）１１、ＳＷ１２から構成され、電源の投入（ＳＷ１１）や、スタート/ストップＳＷ１２を押すことで、施術が開始される。
【００３５】
次に、動作について説明する。
電源ＳＷ１１により電源を投入し、スタート/ストップＳＷ１２を押して施術を始める。
施術が完了したら、再度スタート/ストップＳＷ１２を押して終了する。
尚、モード選択ＳＷを設け、出力部ごとにモードを選択する構成としてもよい。
【００３６】
まず、第１の出力モードについて説明する。
第１の出力モードは、筋出力を向上させるモードであり、ランプアップタイムとランプダウンタイムを１秒より大きくした出力モードである。
つまり、設定した電流まで1秒より長い時間をかけて徐々上げていき、その設定した電流にて数秒間出力した後、1秒より長い時間をかけて徐々に電圧を下げていく制御である。このような制御はＣＰＵ１９と出力回路２０にて行う。
【００３７】
第２の出力モードは、筋出力を抑制するモードであり、ランプアップタイムとランプダウンタイムを１秒より小さくした出力モードである。
つまり、設定した電流まで１秒より短い時間で上げていき、その電流にて数秒間出力した後、1秒より短い時間で電流を下げていく制御である。このような制御はＣＰＵ１９と出力回路２０にて行う。
【００３８】
ランプアップタイムとランプダウンタイムを１秒に設定すると、筋出力の促通、抑制のどちらも起こらない。
【００３９】
しかし、ランプアップタイムとランプダウンタイムを１秒より大きく設定すると、筋出力の向上効果が認められる。好ましくは１．１秒から４．０秒の範囲で促通の効果があり、特に促通の効果があるのは１.１秒から３．０秒の範囲である。
【００４０】
一方、ランプアップタイムとランプダウンタイムを１秒より小さく設定すると、筋出力の抑制効果が認められる。好ましくは０．１から０．９秒の範囲で抑制の効果がある。
この様な数値範囲を導き出した実験については後ほど試験例２として詳述する。
【００４１】
導子１４は公知技術の導子１４で構わない。また、導子１４の設置場所は、機能回復させたい筋肉の上であればどこでもいい。  
【００４２】
以下、試験例について述べる。
[試験例１]  
この試験は、電流刺激装置１００により、筋出力の向上や低下をさせることができたことを証明する試験である。また、即時的に筋出力を変化させることから、筋出力の向上が筋肥大によるものではないことを証明する試験である。
【００４３】
２０代から４０代の各年代の男性を被験者として、電流刺激装置１００に接続した導子１４を右脚の中臀筋に貼付け、第１の出力モードである筋出力促通モードと、第２の出力モードである抑制モードを施術し、施術前後の右脚外転の力を計測した。
【００４４】
計測には株式会社アニマ社製の筋力計  μＴａｓ  Ｆ−１を用いた。これを右脚の外踝の上に設置した。
また、トリックモーション（代替えの筋肉による運動）を起こりにくくするために、左側の足は壁へ密着させた。
【００４５】
Ａ群として、施術前の被験者各々の力を計測し、その後、促通モードを施術して計測、次に抑制モードを施術し計測、その後に再び促通モードを施術して計測を行った。
尚、次の施術までのインターバル間隔は２０分とした。
【００４６】
Ｂ群として、施術前の被験者各々の力を計測し、その後、抑制モードを施術して計測、次に促通モードを施術し計測、その後に再び抑制モードを施術して計測を行った。
尚、次の施術までのインターバル間隔は２０分とした。
【００４７】
促通モードのパラメータは以下の通りである。
周波数７０Ｈｚ、出力３０ｍＡ、出力時間５分、ランプアップタイム１．５秒、ホールド２．０秒、ランプダウンタイム１．５秒、オフタイム３．０秒
【００４８】
一方、抑制モードのパラメータは以下の通りである。
周波数７０Ｈｚ、出力３０ｍＡ、出力時間５分、ランプアップタイム０．５秒、ホールド４．０秒、ランプダウンタイム０．５秒、オフタイム３．０秒
【００４９】
Ａ群の結果を以下の表１として表す。尚、単位Ｎはニュートンである。
0003198424.tif 000003
【００５０】
Ｂ群の結果を以下の表２として表す。尚、単位Ｎはニュートンである。
0003198424.tif 000004
【００５１】
結果から解るように、Ａ群・Ｂ群ともに促通では筋出力の向上が、抑制では筋出力の低下を起こすことが証明された。
また、即時的に筋出力の向上（促通）と低下（抑制）を起こすことができることが証明された。
【００５２】
以上の試験結果から、電流刺激装置１００を用いることで、即時的に筋出力の向上と低下をさせることができる。
また、施術後すぐに効果が表れていることから、筋収縮により筋を肥大させ、その結果として筋出力を増強したものではないことが証明された。
一方、抑制モードで刺激を与えると、筋出力の低下がみられる。このような効果は従来のＥＭＳにはできないものである。更に、筋出力の向上、低下効果には持続性も見られた。
【００５３】
また、促通モードでは、命令量を増やした筋に対して筋を収縮させることができるので、通常のＥＭＳでは収縮させることができない筋も収縮させることができる。これにより効率的に筋肥大をさせることができる。また、この筋肥大の結果として筋出力の更なる向上が望める。
【００５４】
一方、抑制モードでは、命令量を減らした筋に対して、筋出力を低下させた状態で筋を収縮させることができるので、代償動作等に起因した「コリ」などの過度の筋緊張生じている筋に対し、筋収縮させることによりマッサージ効果で緩解させ、かつ抑制することで再び筋緊張状態になることを予防することができる。
[試験例２]
次に、ランプアップタイムとランプダウンタイムの範囲について試験した。
【００５５】
試験はランプアップタイムとランプダウンタイムの秒数を変化させ、その他の条件は試験例１と同様の条件で行った。各秒数での試験後に都度、抑制を行い施術前の筋出力に戻ったことを確認した上で、次秒数の試験を行った。
【００５６】
促通モードについてのランプアップタイムとランプダウンタイムを以下の表３のように設定した。尚、単位は（秒）である。
0003198424.tif 000005
【００５７】
結果として、１．１秒〜３．５秒の範囲で筋出力の向上が見られた。中でも３．０秒は最も出力が向上した。尚、施術前よりは向上しているものの４．０秒では多少の低下が見られた。
【００５８】
抑制モードも同様に、ランプアップタイムとランプダウンタイムを以下の表４のように設定した。各秒数での試験後に都度、促通を行い施術前の筋出力に戻ったことを確認した上で、次秒数の試験を行った。尚、単位は（秒）である。
0003198424.tif 000006
【００５９】
結果として０．９から０．１の範囲で筋出力の低下が見られた。なかでも、０．５秒は最も出力が低下した。
【００６０】
以上の試験より、ランプアップタイムとランプダウンタイムを１．１秒から４．０秒、好ましくは１．１秒から３．０秒に設定することで筋出力の向上をさせることができる。
一方、ランプアップタイムとランプダウンタイムを０．９秒から０．１秒に設定することで筋出力を低下させることができる。
【００６１】
結果として、促通モードを施術した患者には即時的に筋出力の向上がみられ、抑制モードを施術した患者も即時的に筋出力の低下が見られた。
以上の結果より、ランプアップタイムとランプダウンタイムを１.１秒以上４秒以下とすることで筋出力を向上させることができ、ランプアップタイムとランプダウンタイムを０.１秒以上０.９秒以下とすることで筋出力低下させることができることが証明された。
また、施術後すぐに効果が表れていることから、筋収縮により筋を肥大させ、その結果として筋出力を増強していないことも証明された。
また、即時的に筋出力の低下もみられる。このような結果は従来のＥＭＳにおいてはできないものである。更に、筋出力の向上、低下効果には持続性も見られた。
【００６２】
[実施例２]
本実施例は、中周波治療器（1,201Ｈｚから10,000Ｈｚ）を用いて運動機能障害を回復させることを目的とした電流刺激装置２００について述べる。
尚、実施例１とは、周波数と電流値が異なるだけであるので、その他については説明を省略する。また、行った試験及び結果も同様であった。
【００６３】
促通モードのパラメータは以下の通りである。
周波数２５００Ｈｚ、出力４５ｍＡ、出力時間５分、ランプアップタイム１．５秒、ホールド２．０秒、ランプダウンタイム１．５秒、オフタイム３．０秒
【００６４】
促通モードでは、命令量を増やした筋に対して筋を収縮させることができるので、通常のＥＭＳでは収縮させることができない筋も収縮させることができる。これにより効率的に筋肥大をさせることができる。また、この筋肥大の結果として筋出力の向上が望める。
また、中周波を用いることで、体内深部への刺激が可能となり、例えば大腿四頭筋、腹筋、脊柱起立筋等の運動機能障害を回復させることができる。
【００６５】
一方、抑制モードのパラメータは以下の通りである。
周波数２５００Ｈｚ、出力４５ｍＡ、出力時間５分、ランプアップタイム０．５秒、ホールド４．０秒、ランプダウンタイム０．５秒、オフタイム３．０秒
【００６６】
抑制モードでは、命令量を減らした筋に対して、筋出力を低下させた状態で筋を収縮させることができる。代償動作等に起因した「コリ」などの過度の筋緊張生じている体内深部の筋に対し、筋収縮させることによりマッサージ効果で緩解させ、かつ抑制することで再び筋緊張状態になることを予防することができる。
【００６７】
結果として、促通モードを施術した患者には筋出力の向上がみられ、抑制モードを施術した患者には筋出力の低下が見られた。
以上の結果より、周波数や電流値に関係なく、ランプアップタイムとランプダウンタイムを１.１秒以上３秒以下とすることで筋出力を向上させることができ、ランプアップタイムとランプダウンタイムを０.１秒以上０.９秒以下とすることで筋出力低下させることができることが証明された。
また、即時的に筋出力の向上と低下を起こすことができることが証明された。
【００６８】
[実施例４]
本実施例では、電流刺激装置４００について述べる。電流刺激装置４００は、出力部が２個ある多チャンネル式電流刺激装置である。各チャンネルはユーザが任意に出力モードを設定可能である。
【００６９】
多チャンネル式の出力にする構成は既知の構成を用いればよい。例えば、ＣＰＵ１９から複数の出力回路へ出力させる構成とすればよい。
【００７０】
出力チャンネルが複数個あることで、運動機能障害を起こしている患部の過度に収縮している筋には抑制モードを、筋出力が足りない筋には促通モードを設定し、同時に施術することでより効果的に運動機能障害を回復させることができる。主として運動機能障害を引き起こしている拮抗筋へ施術する。
【００７１】
本実施例では、一例としてチャンネル１は促通モード、チャンネル２は抑制モードを選択した。
【００７２】
促通モードのパラメータは以下の通りである。
周波数２５００Ｈｚ、出力４５ｍＡ、出力時間５分、ランプアップタイム１．５秒、ホールド２．０秒、ランプダウンタイム１．５秒、オフタイム３．０秒
【００７３】
一方、抑制モードのパラメータは以下の通りである。
周波数２５００Ｈｚ、出力４５ｍＡ、出力時間５分、ランプアップタイム０．５秒、ホールド４．０秒、ランプダウンタイム０．５秒、オフタイム３．０秒
【００７４】
これを、上腕に麻痺を有する患者に施術した。この患者は、上腕二頭筋が過度に収縮しており、上腕三頭筋が弛緩している。
この筋収縮を過度に引き起こしている上腕二頭筋には抑制モードを、筋収縮を起こさせたい上腕三頭筋には促通モードを施術した。
結果として、麻痺を起している上腕の可動部の可動範囲が拡大したことから、運動機能障害の回復が見られた。
【００７５】
以上の結果より、運動機能障害を起こしている患部に促通モードと抑制モードとを同時に施術することで、より効果的に運動機能障害を回復させることができる。更に、従来よりも優れた持続性も見られた。
【００７６】
その他、装置本体には現在の施術モードやパラメータ、経過時間等を表示する表示部を設けても構わない。また、導子１４への出力チャンネルは２つと例示したが、これに限定されるものではなく、複数であればチャンネル数は問わない。
更に、選択スイッチを設けて一つの装置で低周波、中周波を発生させるような装置としてもよい。
また、促通モード、抑制モードの出力はユーザが任意に変更できるようにしてもよい。例えば、５段階の出力レベル調整ＳＷを設けて、ユーザの好みの出力としてもよい。
【００７７】
尚、記載したパラメータは一例であって、このパラメータに限定するわけではなく、均等の範囲に及ぶことを注意的に記載しておく。
【符号の説明】
【００７８】
１０  本体
１１  電源スイッチＳＷ１１
１２  スタート/ストップＳＷ１３
１４  導子
１５  電源部
１６  昇圧回路
１７  制御電圧回路
１８  電源電圧監視回路
１９  ＣＰＵ
２０  出力回路
２１  メモリ
２２  極性切替回路
１００  電流刺激装置
４００  多チャンネル式電流刺激装置
【図１】
0003198424.tif 000007
【図２】
0003198424.tif 000008
【図３ａ】
0003198424.tif 000009
【図３ｂ】
0003198424.tif 000010
【図４】
0003198424.tif 000011